(57)【要約】【課題】組み立て中に取り扱いが容易であり、安全なプラグイン接続を提供し、狭い組み立てスペースに適した、エアバッグ点火装置用のプラグコネクタを提供する。【解決手段】エアバッグ拘束システムのための電気コネクタ（１０）は、長手方向軸（Ｘ）に整列され、接触面（１７）を有する少なくとも１つの細長い端子（１６）を取り囲む細長いハウジング（２０）と、細長いハウジングに取り付けられ、細長いハウジングに沿って、開位置（Ｏ）から支持位置（Ｃ）に長手方向に移動可能な端子支持装置（５０）とを備え、それによって前記コネクタが相手側コネクタ（１００）と嵌合し、かつ端子支持装置（５０）が支持位置にある場合に、端子支持装置は、相手側接触要素（１１１）に対する接触面の接触圧力を増加させる。【選択図】図１ａ
2018190712.tif 000002
【特許請求の範囲】
【請求項１】
エアバッグ拘束システムのための電気コネクタ（１０）であって、前記電気コネクタ（１０）は、長手方向軸（Ｘ）に整列され、接触面（１７）を有する少なくとも１つの細長い端子（１６）を取り囲む細長いハウジング（２０）と、前記細長いハウジングに取り付けられ、前記細長いハウジングに沿って、開位置（Ｏ）から支持位置（Ｃ）に長手方向に移動可能な端子支持装置（５０）とを備え、それによって前記コネクタが相手側コネクタ（１００）と嵌合し、かつ前記端子支持装置（５０）が前記支持位置にある場合に、前記端子支持装置は、相手側接触要素（１１１）に対する前記接触面の接触圧力を増加させる、電気コネクタ（１０）。
【請求項２】
前記細長いハウジング（２０）が細長い開口部（２２）を有し、かつ前記端子支持装置（５０）が前記細長いハウジングの内側から前記細長い開口部を通り、前記細長いハウジングの外側に突出する、請求項１に記載の電気コネクタ（１０）。
【請求項３】
前記細長いハウジング（２０）が可撓性トング（２６）内に配置されたロッキング開口部（２４）を備え、および前記端子支持装置（５０）が前記細長いハウジングの外側に突出する第１ロッキング突起（５２）および第２ロッキング突起（５４）を備え、前記端子支持装置が前記開位置（Ｏ）にある場合に、前記第１ロッキング突起は、前記ロッキング開口部内に位置し、かつ前記端子支持装置が前記支持位置（Ｃ）にある場合に、前記第１ロッキング突起および前記第２ロッキング突起は、前記ロッキング開口部内に位置する、請求項１または２に記載の電気コネクタ（１０）。
【請求項４】
前記端子支持装置（５０）は、前記細長いハウジングの内側に前記長手方向軸（Ｘ）に垂直に突出する支持突起（５６）を備える、請求項１〜３のいずれか一項に記載の電気コネクタ（１０）。
【請求項５】
前記支持突起（５６）は、前記接触圧力を増加し、前記長手方向軸（Ｘ）に整列された平らな作動面（５８）を備える、請求項４に記載の電気コネクタ（１０）。
【請求項６】
前記細長い端子（１６）は、前記細長いハウジング（２０）の前記長手方向軸（Ｘ）に沿って整列されている、請求項１〜５のいずれか一項に記載の電気コネクタ（１０）。
【請求項７】
前記細長い端子（１６）が直線部（１８）および曲げ部（１９）を備える、請求項１〜６のいずれか一項に記載の電気コネクタ（１０）。
【請求項８】
前記端子支持装置が前記開位置（Ｏ）にある場合に、前記平らな作動面（５８）は、前記直線部（１８）に対向して配置され、前記端子支持装置が前記支持位置（Ｃ）にある場合に、前記平らな作動面（５８）は、前記曲げ部（１９）に接触する、請求項５を引用する請求項７に記載の電気コネクタ（１０）。
【請求項９】
前記細長いハウジング（２０）が前記長手方向軸（Ｘ）に沿って嵌合方向（ＸＣ）に突出するバー（６０）を備え、前記バー（６０）は、前記細長いハウジングを前記相手側コネクタ（１００）の可撓性ロッキングトング（１６０）内のロッキング開口部（１６１）にロックするための第３ロッキング突起（６１）を有する、請求項１〜８のいずれか一項に記載の電気コネクタ（１０）。
【請求項１０】
前記電気コネクタが２つの細長い端子（１６）を備え、かつ前記突起（５６）が前記２つの細長い端子の間に配置される、請求項４〜９のいずれか一項に記載の電気コネクタ（１０）。
【請求項１１】
請求項１〜１０のいずれか一項に記載のコネクタ（１０）および前記相手側コネクタ（１００）を備える電気コネクタアセンブリであって、前記相手側コネクタは、相手側コネクタ軸（Ｚ）に垂直に、かつ前記長手方向軸（Ｘ）に沿って配置された平面（１１０）を備え、前記少なくとも１つの相手側接触要素（１１１）の一部が、前記相手側コネクタ軸（Ｚ）に沿って前記平面から突出する、電気コネクタアセンブリ。
【請求項１２】
シュラウド（１０１）が前記少なくとも１つの相手側接触要素（１１１）を少なくとも部分的に取り囲む、請求項１１に記載の電気コネクタアセンブリ。
【請求項１３】
前記平面（１１０）から突出する前記少なくとも１つの相手側接触要素（１１１）の前記一部の長さは、前記相手側コネクタ軸（Ｚ）に沿った、前記平面からの前記シュラウドの伸長部の５０％未満である、請求項１１または１２に記載の電気コネクタアセンブリ。
【請求項１４】
前記平面（１１０）は、前記長手方向軸（Ｘ）に沿って整列された少なくとも１つの溝（１０４）を備え、かつ前記電気コネクタ（１０）は、前記長手方向軸に沿って整列された少なくとも１つのリブ（３２）を備え、前記コネクタおよび前記相手側コネクタが完全に接続されている場合に、前記少なくとも１つのリブが、前記少なくとも１つの溝内に保持される、請求項１１〜１３のいずれか一項に記載の電気コネクタアセンブリ。
【請求項１５】
前記少なくとも１つの細長い端子（１６）の前記接触面（１７）は、前記長手方向軸（Ｘ）に対して外側にある角度で配置され、それによって前記少なくとも１つの相手側接触要素（１１１）は、ピン形状である、請求項１１〜１４のいずれか一項に記載の電気コネクタアセンブリ。
【発明の詳細な説明】
【技術分野】
【０００１】
本発明は、特にエアバッグ拘束システム用のコネクタアセンブリに関する。コネクタアセンブリは、コネクタハウジングおよび端子支持デバイスを備える。端子支持デバイスは、コネクタハウジングに対して開放位置から支持位置まで移動可能となるように、コネクタハウジングに対して配置されている。
【背景技術】
【０００２】
多くの用途において、コネクタの安全な結合が非常に重要である。例えば、自動車安全システムの場合、例えば、 乗用車のエアバッグシステムにおいて、エアバッグをその点火ベースに接続するために使用されるコネクタには、信頼性の高い安全システムが提供されなければならない。誤ってコネクタが緩んでしまうことがないように、安全な機械的結合を保証するためにロック手段が使用されている。
【０００３】
近年、安全性、快適性、マルチメディアの分野における車両用設備が急速に拡大している。これらの新しい機能には、電気的および機械的な追加の努力が必要である。追加の電気配線とプラグインシステムを車両に設置する必要がある。これは車の生産において小型化の傾向をもたらした。電線の断面が小さくなり、電気プラグシステムの寸法が小さくなった。しかし、組み立て時にプラグアンドソケットシステムを管理しやすいままにするためには、小型化には限界がある。また、安全関連のプラグイン接続のためにコネクタの誤った組立が除外されていることを保証する必要がある。数年前、コネクタタイプの一種が開発され、このコネクタタイプがエアバッグ用途に確立されるように現場でうまく使用された。特許文献１は、このようなエアバッグコネクタを開示している。このコネクタには二次ロックがあり、多くの車両で使用されている。しかし、小型化にもかかわらず、このコネクタはある程度の大きさを有している。プラグが差し込まれた状態で相手側のコネクタからプラグが突出しているため、非常に限られたスペースでの組み立て時に問題が発生する可能性がある。小型化では、もはや扱いにくいプラグインシステムが生産されるようになり、フェライト本体などの大きなコンポーネントも収容する必要があるため、問題を解決するには別の方法を見つける必要がある。
【先行技術文献】
【特許文献】
【０００４】
【特許文献１】欧州特許出願公開第２９６６７３５号明細書
【発明の概要】
【発明が解決しようとする課題】
【０００５】
本発明の目的は、組み立て中に取り扱いが容易であり、安全なプラグイン接続を提供し、狭い組み立てスペースに適した、エアバッグ点火装置用のプラグコネクタを提供することである。
【０００６】
以下の説明を読めば明らかになるこれらおよび他の目的は、請求項１に記載の電気コネクタおよび請求項１１に記載の電気コネクタアセンブリによって解決される。
【課題を解決するための手段】
【０００７】
本発明によれば、接触面を有する少なくとも１つの細長い端子を取り囲む、長手方向軸に整列した細長いハウジングを含むエアバッグ拘束システム用の電気コネクタが提供される。さらに、細長いハウジングに取り付けられ、細長いハウジングに沿って開位置から支持位置まで長手方向に移動可能な端子支持装置が提供される。端子支持装置は、コネクタが相手側コネクタに嵌合され、端子支持装置が支持位置にある場合に、相手側接触要素に対する接触面の接触圧を増加させる。
【０００８】
一般に、電気コネクタ組立体は、コネクタと相手側コネクタとを含み、相手側コネクタは、相手側コネクタ軸に対して垂直で且つ長手方向軸に沿って配置された平面を含む。少なくとも１つの相手側接触要素の一部が、相手側コネクタ軸に沿って平面から突出している。
【０００９】
好ましくは、細長いハウジングは、細長い開口部を有し、端子支持装置は、細長いハウジングの内側から細長い開口部を通って細長いハウジングの外側に突出する。これにより、端子支持装置を外部から手動で挿入して操作することができる。
【００１０】
好ましくは、細長いハウジングは、可撓性トング内に配置されたロッキング開口部を含む。端子支持装置は、細長いハウジングの外側に突出する第１ロッキング突起と、第２ロッキング突起とを備える。端子支持装置が開位置にある場合に、第１ロッキング突起は、ロッキング開口部に位置する。端子支持装置が支持位置にある場合に、第１ロッキング突起および第２ロッキング突起はロッキング開口部に位置する。この設計により、端子支持装置をコネクタに取り付ける際の取り扱いが簡単になり、端子支持装置を２つの異なる位置で制御することができる。
【００１１】
有利には、端子支持装置は、細長いハウジングの内側に長手方向軸に垂直に突出する支持突起を含む。支持突起は、細長いハウジングの内部に簡単にフィットし、細長い端子と協調するように最適化されている。
【００１２】
好ましくは、支持突起は、接触圧力を増加させ、長手方向軸に整列された平らな作動面を含む。この設計は、コネクタを相手側コネクタに接続する際に、長手方向軸に対して垂直に移動するスペースを細長い端子に与える。支持位置では、平らな作動面が曲げ部と相互作用して接触面への圧力を増加させる。
【００１３】
有利には、細長い端子は、直線部と曲げ部とを備える。支持位置では、平らな作動面が曲げ部と相互作用して接触面への圧力を増加させる。力のレベルと動作を制御するために、曲げ部の形状を変えることができる。曲げ部は、湾曲させたり、ステップ状にしたり、斜めに曲げたりさせることができる。
【００１４】
好ましくは、平らな作動面は、端子支持装置が開位置にある場合に、直線部に対向して配置される。端子支持装置が支持位置にある場合に、平らな作動面は、曲げ部に接触する。平らな部分は、ある位置から別の位置に移動しながら互いを誘導する。
【００１５】
有利には、細長いハウジングは、長手方向軸に沿った嵌合方向に突出するバーを備え、バーは、細長いハウジングを相手側コネクタの可撓性ロッキングトング内のロッキング開口部にロックするための第３ロッキング突起を有する。第３ロッキング突起は、コネクタを相手側コネクタに固定する。
【００１６】
好ましくは、電気コネクタは２つの細長い端子を備え、突起は、２つの細長い端子の間に配置される。端子の細長い形状は、端子を柔軟にし、端子を細長いハウジングに固定する固定手段のための空間を残す。端子間の位置により、１つの突起のみを使用して両方の端子を操作することができる。
【００１７】
有利には、シュラウドが少なくとも部分的に少なくとも１つの相手側接触要素を取り囲む。シュラウドは、製造中に相手側接触要素を破壊から保護し、コネクタを保持しロックする手段を提供する。
【００１８】
好ましくは、少なくとも１つの相手側接触要素の平面の外に突出する部分の長さは、相手側コネクタの軸に沿った、平面からのシュラウドの伸長部の５０％未満である。これにより、コネクタアセンブリのフラットな設計が可能になる。
【００１９】
有利には、平面は、長手方向軸に沿って整列した少なくとも１つの溝を含む。電気コネクタは、長手方向軸に沿って整列した少なくとも１つのリブを備える。少なくとも１つのリブは、コネクタと相手側コネクタが完全に接続されている場合に、少なくとも１つの溝に入れられる。リブと溝の位置と大きさにより、相手側コネクタとのコネクタのコーディングが可能になり、正しいコネクタだけを相手側コネクタに接続できるようになる。さらに、溝は、コネクタのリブのための案内手段である。
【００２０】
好ましくは、少なくとも１つの細長い端子の接触面は、長手方向軸から外側にある角度で配置され、それによって少なくとも１つの相手側接触要素はピン形状である。接触面は、相手側接触要素のための漏斗のように機能する。
【００２１】
以下、添付図面を参照して本発明を例示的に説明する。
【図面の簡単な説明】
【００２２】
【図１ａ】接続されていない状態のコネクタアセンブリの概略図である。
【図１ｂ】接続状態のコネクタアセンブリの概略図である。
【図２】図１ａおよび図１ｂに示すコネクタの分解図を示す。
【図３ａ】相手側コネクタの側面図を示す。
【図３ｂ】相手側コネクタの上面図を示す。
【図４ａ】支持装置が開位置にある状態の、長手方向軸に沿った図１ｂのコネクタアセンブリの切断図を示す。
【図４ｂ】支持装置が支持位置にある状態の、長手方向軸に沿った図１ｂのコネクタアセンブリの切断図を示す。
【図５】支持装置が支持位置にある状態の、長手方向軸に沿った図１ｂのコネクタアセンブリの切断図を示す。
【発明を実施するための形態】
【００２３】
図１ａ、１ｂは、本発明によるコネクタアセンブリの３次元斜視図である。コネクタ１０は、長手方向軸Ｘに整列した細長いハウジング２０を含む。端子支持装置５０は、細長いハウジング２０に取り付けられ、細長いハウジング２０に沿って開位置Ｏ（図１ａ）から支持位置Ｃ（図１ｂ）に長手方向に移動可能である。細長いハウジング２０は、縦軸Ｘに沿って嵌合方向ＸＣに突出するバー６０を備える。バー６０は、細長いハウジング２０を相手側コネクタ１００の可撓性ロッキングトング１６０内のロッキング開口部１６１にロックするための第３ロッキング突起６１を有する。電線１２は、コネクタ１０の内部から外部に突出している。
【００２４】
図２は、図１ａおよび図１ｂに示すコネクタ１０の分解図を示す。上部２０ａと下部２０ｂとからなるこの実施形態の細長いハウジング２０は、長手方向軸Ｘに沿って整列している。細長いハウジング２０は、接触面１７を有する細長い端子１６を取り囲む。端子支持装置５０は、細長いハウジング２０に取り付けられ、細長いハウジング２０に沿って、開位置から支持位置まで長手方向に移動可能である。細長いハウジング２０は、細長い開口部２２を有し、ここで端子支持装置５０は、細長いハウジング２０の内側から細長いハウジング２０の外側に突出することができる。細長いハウジング２０は、可撓性トング２６内に配置されたロッキング開口部２４を含む。端子支持装置５０は、細長いハウジング２０の外側に突出する第１ロッキング突起５２および第２ロッキング突起５４を含む。第１ロッキング突起５２は、端子支持装置５０が開位置Ｏにある場合に、ロッキング開口部２４内に配置される。第１ロッキング突起５２と第２ロッキング突起５４は、端子支持装置５０が支持位置Ｃにある場合に、ロッキング開口部２４内に配置される。端子支持装置５０は、細長いハウジング２０の内側に、長手方向軸Ｘに対して垂直に突出する支持突起５６を備える。支持突起５６は、接触圧力を増加させる平らな作動面５８を備える。平らな作動面５８は、長手方向軸Ｘに整列している。細長い端子１６は、細長いハウジング２０の長手方向軸Ｘに沿って整列している。細長い端子１６は、直線部１８と曲げ部１９とを備える。平らな作動面５８は、端子支持装置５０が開位置Ｏにある場合に、直線部１８に対向して配置される。端子支持装置５０が支持位置Ｃにある場合に、平らな作動面５８は、曲げ部１９に接触する。細長いハウジング２０は、縦軸Ｘに沿って嵌合方向ＸＣに突出するバー６０を含む。バー６０は、細長いハウジングを相手側コネクタ１００の可撓性ロッキングトング１６０（図１ａ）のロッキング開口１６１にロックするための第３ロッキング突起６１を有する。コネクタ１０は２つの細長い端子１６を有し、突起５６は、２つの細長い端子の間に配置される。電線１２はフェライト本体１４の開口部を通って端子１６に取り付けられ、電線１２を端子１６に電気的に接続する。この実施例では、電線１２は、超音波溶接によって接続されている。
【００２５】
図３ａは、相手側コネクタ１００の側面図を示す。相手側コネクタ１００は、相手側コネクタ軸Ｚに垂直に配置された平面１１０を備える。相手側接触要素１１１の一部は、相手側コネクタ軸Ｚに沿って平面１１０から突出する。シュラウド１０１は、一つの相手側接触要素１１１を部分的に取り囲む。平面１１０から突出している相手側接触要素１１１の部分の長さは、相手側コネクタ軸Ｚに沿って、平面１１０からのシュラウド１０１の延長部の５０％未満である。平面１１０は、長手方向軸Ｘに沿って整列した溝１０４を含む。電気コネクタ１０は、長手方向軸Ｘ（図２）に沿って整列したリブ３２を含む。リブ３２は、コネクタ１０と相手側コネクタ１００とが完全に接続された場合に、溝１０４内に保持される（図５）。
【００２６】
図３ｂは、相手側コネクタ１００の上面図を示す。シュラウド１０１は、平面１１０を部分的に取り囲む。シュラウド１０１は、コネクタ１０の挿入を可能にする切欠き１０２を有する。切欠き１０２は、平面１１０の反対側の端部にシュラウド突起１０３を有する。シュラウド突起１０３は、コネクタ１０を挿入している間、相手側コネクタ軸Ｚの方向へのコネクタの動きを防止する。コネクタ１０は、コネクタを長手方向軸Ｘに沿って切欠き１０２を通って相手側コネクタ１００内に移動させることによって挿入することができる。移動中は、コネクタリブ３２が相手側コネクタ溝１０４にガイドされる。
【００２７】
図４ａは、図１ｂのコネクタアセンブリの切断図を示し、この切断は、長手方向軸Ｘに沿って行なわれる。コネクタ１０は、相手側コネクタ１００の開口部１６１にロックされたロッキング突起６１によって、相手側コネクタ１００に機械的にロックされる。支持装置５０は、可撓性トング２６によって開位置Ｏにロックされている。図４ｂは、支持装置５０が可撓性トング２６によって支持位置Ｃにロックされていることを示している。突起５６は、端子１６の曲げ部１９と接触している。
【００２８】
図５は、図１ｂのコネクタアセンブリの長手方向軸に沿った切断を示す切断図を示す。支持装置は、支持位置Ｃにある。一つの細長い端子１６の接触面１７は、長手方向軸Ｘの外側にある角度で配置され、それによって相手側接触要素１１１はピン形状である。
【符号の説明】
【００２９】
１０  電気コネクタ
１２  電線
１４  フェライト本体
１６  端子
１７  接触面
１８  直線部
１９  曲げ部
２０  ハウジング
２２  開口部
２４  ロッキング開口部
２６  可撓性トング
３２  リブ
５０  端子支持装置
５２  第１ロッキング突起
５４  第２ロッキング突起
５６  支持突起
５８  作動面
６０  バー
６１  第３ロッキング突起
１００  相手側コネクタ
１０１  シュラウド
１０３  シュラウド突起
１０４  相手側コネクタ溝
１１１  相手側接触要素
１６０  可撓性ロッキングトング
１６１  ロッキング開口部
【図１ａ】
2018190712.tif 000003
【図１ｂ】
2018190712.tif 000004
【図２】
2018190712.tif 000005
【図３ａ】
2018190712.tif 000006
【図３ｂ】
2018190712.tif 000007
【図４ａ】
2018190712.tif 000008
【図４ｂ】
2018190712.tif 000009
【図５】
2018190712.tif 000010
【外国語明細書】
2018190712000001.pdf